(57)【特許請求の範囲】
【請求項１】
正レンズＧｐを含み、該正レンズＧｐより像側に、フォーカシングに際して移動するフォーカス群が配置された光学系であって、
前記正レンズＧｐよりも物体側に配置された前群は全体としての正の屈折力を有し、
前記正レンズＧｐの材料のアッベ数をνｄＧｐ、前記正レンズＧｐの材料の部分分散比をθｇＦ＿Ｇｐ、前記正レンズＧｐの物体側のレンズ面から像面までの光軸上の距離をＤｐｉ、前記光学系の最も物体側のレンズ面から像面までの光軸上の距離をＬＤ、前記光学系の焦点距離をｆ、前記正レンズＧｐの物体側のレンズ面の曲率半径をＲ１１、前記正レンズＧｐの像側のレンズ面の曲率半径をＲ１２としたとき、
ＬＤ／ｆ＜１．００
１５．０＜νｄＧｐ＜２４．０
０．０２０＜θｇＦ＿Ｇｐ−０．６４３８＋０．００１６８２×νｄＧｐ＜０．１００
０．３５＜Ｄｐｉ／ＬＤ＜０．８０
０．０５＜（Ｒ１２−Ｒ１１）／（Ｒ１２＋Ｒ１１）＜０．８０
なる条件式を満足することを特徴とする光学系。
【請求項２】
前記正レンズＧｐの焦点距離をｆｐとしたとき、
０．３０＜ｆｐ／ｆ＜１．５０
なる条件式を満足することを特徴とする請求項１に記載の光学系。
【請求項３】
前記前群は、負レンズＧｎを含み、該負レンズＧｎの材料のアッベ数をνｄＧｎとしたき、
２０．０＜νｄＧｎ＜４５．０
なる条件式を満足することを特徴とする請求項１または２に記載の光学系。
【請求項４】
前記負レンズＧｎは、両凹形状であることを特徴とする請求項３に記載の光学系。
【請求項５】
前記負レンズＧｎは、前記光学系に含まれる負レンズの中で最も物体側に配置された負レンズであることを特徴とする請求項３または４に記載の光学系。
【請求項６】
正レンズＧｐを含み、該正レンズＧｐより像側に、フォーカシングに際して移動するフォーカス群が配置された光学系であって、
前記正レンズＧｐよりも物体側に配置された前群は全体としての正の屈折力を有し、
前記前群は前記光学系に含まれる負レンズの中で最も物体側に配置された負レンズＧｎを含み、
前記正レンズＧｐは物体側に凸面を向けたメニスカス形状であり、
前記負レンズＧｎは両凹形状であり、
前記正レンズＧｐの材料のアッベ数をνｄＧｐ、前記正レンズＧｐの材料の部分分散比をθｇＦ＿Ｇｐ、前記正レンズＧｐの物体側のレンズ面から像面までの光軸上の距離をＤｐｉ、前記光学系の最も物体側のレンズ面から像面までの光軸上の距離をＬＤ、前記光学系の焦点距離をｆ、前記負レンズＧｎの材料のアッベ数をνｄＧｎとしたとき、
ＬＤ／ｆ＜１．００
１５．０＜νｄＧｐ＜２４．０
０．０２０＜θｇＦ＿Ｇｐ−０．６４３８＋０．００１６８２×νｄＧｐ＜０．１００
０．３５＜Ｄｐｉ／ＬＤ＜０．８０
２０．０＜νｄＧｎ＜４５．０
なる条件式を満足することを特徴とする光学系。
【請求項７】
前記負レンズＧｎと前記正レンズＧｐとの光軸上の距離をＤｎｐとしたとき、
０．０１５＜Ｄｎｐ／ＬＤ＜０．２０
なる条件式を満足することを特徴とする請求項３乃至６のいずれか１項に記載の光学系。
【請求項８】
前記負レンズＧｎの焦点距離をｆｎとしたとき、
０．０５＜−ｆｎ／ｆ＜０．３０
なる条件式を満足することを特徴とする請求項３乃至７のいずれか１項に記載の光学系。
【請求項９】
正レンズＧｐを含み、該正レンズＧｐより像側に、フォーカシングに際して移動するフォーカス群が配置された光学系であって、
前記正レンズＧｐよりも物体側に配置された前群は全体としての正の屈折力を有し、
前記前群は前記光学系に含まれる負レンズの中で最も物体側に配置された負レンズＧｎを含み、
前記正レンズＧｐの材料のアッベ数をνｄＧｐ、前記正レンズＧｐの材料の部分分散比をθｇＦ＿Ｇｐ、前記正レンズＧｐの物体側のレンズ面から像面までの光軸上の距離をＤｐｉ、前記光学系の最も物体側のレンズ面から像面までの光軸上の距離をＬＤ、前記光学系の焦点距離をｆ、前記負レンズＧｎの材料のアッベ数をνｄＧｎ、前記負レンズＧｎの焦点距離をｆｎとしたとき、
ＬＤ／ｆ＜１．００
１５．０＜νｄＧｐ＜２４．０
０．０２０＜θｇＦ＿Ｇｐ−０．６４３８＋０．００１６８２×νｄＧｐ＜０．１００
０．３５＜Ｄｐｉ／ＬＤ＜０．８０
２０．０＜νｄＧｎ＜４５．０
０．０５＜−ｆｎ／ｆ＜０．３０
なる条件式を満足することを特徴とする光学系。
【請求項１０】
前記正レンズＧｐの焦点距離をｆｐ、前記負レンズＧｎの焦点距離をｆｎとしたとき、
０．１０＜−ｆｎ／ｆｐ＜０．６０
なる条件式を満足することを特徴とする請求項３乃至９のいずれか１項に記載の光学系。
【請求項１１】
前記前群は、アッベ数をνｄＧｆｐ、部分分散比をθｇＦ＿Ｇｆｐとしたとき、
７３．０＜νｄＧｆｐ
０．０３０＜θｇＦ＿Ｇｆｐ−０．６４３８＋０．００１６８２×νｄＧｆｐ＜０．１００
なる条件式を満足する正レンズを含むことを特徴とする請求項１乃至１０のいずれか１項に記載の光学系。
【請求項１２】
前記前群に含まれ、
７３．０＜νｄＧｆｐ
０．０３０＜θｇＦ＿Ｇｆｐ−０．６４３８＋０．００１６８２×νｄＧｆｐ＜０．１００
なる条件式を満足する正レンズの中で最も物体側に配置された正レンズを正レンズＧｆｐとして、
前記正レンズＧｆｐと前記正レンズＧｐとの光軸上の距離をＤｐｐとしたとき、
０．０１＜Ｄｐｐ／ＬＤ＜０．２０
なる条件式を満足することを特徴とする請求項１１に記載の光学系。
【請求項１３】
前記正レンズＧｆｐの焦点距離をｆｆｐとしたとき、
０．１５＜ｆｆｐ／ｆ＜０．６０
なる条件式を満足することを特徴とする請求項１２に記載の光学系。
【請求項１４】
前記正レンズＧｆｐの焦点距離をｆｆｐ、前記正レンズＧｐの焦点距離をｆｐとしたとき、
０．２０＜ｆｆｐ／ｆｐ＜１．５０
なる条件式を満足することを特徴とする請求項１２または１３に記載の光学系。
【請求項１５】
請求項１乃至１４のいずれか１項に記載の光学系と、該光学系によって形成される像を受光する撮像素子を有することを特徴とする撮像装置。
【発明の詳細な説明】
【技術分野】
【０００１】
本発明は光学系及びそれを有する撮像装置に関し、例えばデジタルスチルカメラ、ビデオカメラ、監視カメラ、放送用カメラ等の撮像素子を用いた撮像装置、或いは銀塩写真フィルムを用いたカメラ等の撮像装置に好適なものである。
【背景技術】
【０００２】
焦点距離の長い撮影光学系として、物体側に正の屈折力の光学系を配置し、像側に負の屈折力の光学系を配置した、いわゆるテレフォトタイプの撮影光学系が知られている。テレフォトタイプの撮影光学系は、例えば単焦点の超望遠レンズに用いられている。
【０００３】
超望遠レンズでは、諸収差を良好に補正するために、物体側に多くのレンズを配置することが一般的である。物体側に配置されたレンズの有効径は大きくなるため、物体側に配置するレンズの枚数を増やすことで光学系全体の重量が増大しやすい。
【０００４】
また、一般に、焦点距離が長くなるにつれて軸上色収差や倍率色収差が目立ちやすくなり、特に、フォーカシングに伴う色収差の変動が目立ちやすい。特許文献１の光学系では、負の屈折力を有しフォーカシングに際して移動するフォーカス群に、正レンズと負レンズを配置して、正レンズの材料として異常分散性の高い材料を用い、負レンズの材料として低分散の材料を用いている。
【先行技術文献】
【特許文献】
【０００５】
【特許文献１】特開２０１５−２１５５６１号公報
【発明の概要】
【発明が解決しようとする課題】
【０００６】
特許文献１に記載の光学系では、最も物体側に配置されたレンズから比較的近い位置にフォーカス群が配置されており、フォーカス群に含まれるレンズの有効径が大きくなりやすい。また、特許文献１に記載の光学系では、フォーカス群に含まれる正レンズにおいて生じる球面収差を良好に補正するために、フォーカス群に負レンズを配置している。
【０００７】
以上のように、特許文献１の光学系では、有効径が大きい複数のレンズによりフォーカス群を構成しているため、フォーカス群が大型化しやすく、光学系の重量が増大しやすい。
【０００８】
本発明は、軽量であり、かつ色収差等の諸収差が良好に補正された光学系及びそれを有する撮像装置を提供することを目的とする。
【課題を解決するための手段】
【０００９】
本発明の光学系は、正レンズＧｐを含み、該正レンズＧｐより像側に、フォーカシングに際して移動するフォーカス群が配置された光学系であって、前記正レンズＧｐよりも物体側に配置された前群は全体としての正の屈折力を有し、前記正レンズＧｐの材料のアッベ数をνｄＧｐ、前記正レンズＧｐの材料の部分分散比をθｇＦ＿Ｇｐ、前記正レンズＧｐの物体側のレンズ面から像面までの光軸上の距離をＤｐｉ、前記光学系の最も物体側のレンズ面から像面までの光軸上の距離をＬＤ、前記光学系の焦点距離をｆ、前記正レンズＧｐの物体側のレンズ面の曲率半径をＲ１１、前記正レンズＧｐの像側のレンズ面の曲率半径をＲ１２としたとき、
ＬＤ／ｆ＜１．００
１５．０＜νｄＧｐ＜２４．０
０．０２０＜θｇＦ＿Ｇｐ−０．６４３８＋０．００１６８２×νｄＧｐ＜０．１００
０．３５＜Ｄｐｉ／ＬＤ＜０．８０
０．０５＜（Ｒ１２−Ｒ１１）／（Ｒ１２＋Ｒ１１）＜０．８０
なる条件式を満足することを特徴とする。
また、本発明の他の光学系は、正レンズＧｐを含み、該正レンズＧｐより像側に、フォーカシングに際して移動するフォーカス群が配置された光学系であって、前記正レンズＧｐよりも物体側に配置された前群は全体としての正の屈折力を有し、前記前群は前記光学系に含まれる負レンズの中で最も物体側に配置された負レンズＧｎを含み、前記正レンズＧｐは物体側に凸面を向けたメニスカス形状であり、前記負レンズＧｎは両凹形状であり、前記正レンズＧｐの材料のアッベ数をνｄＧｐ、前記正レンズＧｐの材料の部分分散比をθｇＦ＿Ｇｐ、前記正レンズＧｐの物体側のレンズ面から像面までの光軸上の距離をＤｐｉ、前記光学系の最も物体側のレンズ面から像面までの光軸上の距離をＬＤ、前記光学系の焦点距離をｆ、前記負レンズＧｎの材料のアッベ数をνｄＧｎとしたとき、
ＬＤ／ｆ＜１．００
１５．０＜νｄＧｐ＜２４．０
０．０２０＜θｇＦ＿Ｇｐ−０．６４３８＋０．００１６８２×νｄＧｐ＜０．１００
０．３５＜Ｄｐｉ／ＬＤ＜０．８０
２０．０＜νｄＧｎ＜４５．０
なる条件式を満足することを特徴とする。
また、本発明の他の光学系は、正レンズＧｐを含み、該正レンズＧｐより像側に、フォーカシングに際して移動するフォーカス群が配置された光学系であって、前記正レンズＧｐよりも物体側に配置された前群は全体としての正の屈折力を有し、前記前群は前記光学系に含まれる負レンズの中で最も物体側に配置された負レンズＧｎを含み、前記正レンズＧｐの材料のアッベ数をνｄＧｐ、前記正レンズＧｐの材料の部分分散比をθｇＦ＿Ｇｐ、前記正レンズＧｐの物体側のレンズ面から像面までの光軸上の距離をＤｐｉ、前記光学系の最も物体側のレンズ面から像面までの光軸上の距離をＬＤ、前記光学系の焦点距離をｆ、前記負レンズＧｎの材料のアッベ数をνｄＧｎ、前記負レンズＧｎの焦点距離をｆｎとしたとき、
ＬＤ／ｆ＜１．００
１５．０＜νｄＧｐ＜２４．０
０．０２０＜θｇＦ＿Ｇｐ−０．６４３８＋０．００１６８２×νｄＧｐ＜０．１００
０．３５＜Ｄｐｉ／ＬＤ＜０．８０
２０．０＜νｄＧｎ＜４５．０
０．０５＜−ｆｎ／ｆ＜０．３０
なる条件式を満足することを特徴とする。
【発明の効果】
【００１０】
本発明によれば、軽量であり、かつ色収差等の諸収差が良好に補正された光学系を得ることができる。
【図面の簡単な説明】
【００１１】
【図１】実施例１の光学系のレンズ断面図である。
【図２】無限遠に合焦しているときにおける実施例１の光学系の収差図である。
【図３】実施例２の光学系のレンズ断面図である。
【図４】無限遠に合焦しているときにおける実施例２の光学系の収差図である。
【図５】実施例３の光学系のレンズ断面図である。
【図６】無限遠に合焦しているときにおける実施例３の光学系の収差図である。
【図７】実施例４の光学系のレンズ断面図である。
【図８】無限遠に合焦しているときにおける実施例４の光学系の収差図である。
【図９】実施例５の光学系のレンズ断面図である。
【図１０】無限遠に合焦しているときにおける実施例５の光学系の収差図である。
【図１１】本発明の撮像装置の要部概略図である。
【発明を実施するための形態】
【００１２】
以下、本発明の光学系及びそれを有する撮像装置について、添付の図面に基づいて詳細に説明する。本発明の光学系は、最も物体側に配置されたレンズの物体側のレンズ面から像面までの光軸上の距離が全系の焦点距離よりも短い、いわゆるテレフォトタイプの光学系である。また、本発明の光学系は、正レンズＧｐを含み、正レンズＧｐの物体側には、全体としての正の屈折力を有する前群が配置されている。さらに、正レンズＧｐの像側には、フォーカシングに際して移動するフォーカス群が配置されている。
【００１３】
図１は、実施例１の光学系のレンズ断面図である。図２は、無限遠に合焦しているときにおける実施例１の光学系の収差図である。図３は、実施例２の光学系のレンズ断面図である。図４は、無限遠に合焦しているときにおける実施例２の光学系の収差図である。図５は、実施例３の光学系のレンズ断面図である。図６は、無限遠に合焦しているときにおける実施例３の光学系の収差図である。図７は、実施例４の光学系のレンズ断面図である。図８は、無限遠に合焦しているときにおける実施例４の光学系の収差図である。図９は、実施例５の光学系のレンズ断面図である。図１０は、無限遠に合焦しているときにおける実施例５の光学系の収差図である。
【００１４】
図１１は、本発明の光学系を備える撮像装置の要部概略図である。各実施例の光学系はビデオカメラやデジタルカメラ、銀塩フィルムカメラ、テレビカメラ等の撮像装置に用いられる撮影レンズ系である。レンズ断面図において左方が物体側（前方）で、右方が像側（後方）である。またレンズ断面図においてＬｆは前群を示す。
【００１５】
各実施例においてＳＰは開口絞りであり、ＩＰは像面である。ビデオカメラやデジタルカメラの撮像光学系として光学系を使用する際には、像面ＩＰはＣＣＤセンサやＣＭＯＳセンサといった固体撮像素子（光電変換素子）に相当する。銀塩フィルムカメラの撮像光学系として本発明の光学系を使用する際には、像面ＩＰはフィルム面に相当する。
【００１６】
球面収差図においてＦｎｏはＦナンバーであり、ｄ線（波長５８７．６ｎｍ）、ｇ線（波長４３５．８ｎｍ）に対する球面収差を示している。非点収差図においてΔＳはサジタル像面における非点収差量、ΔＭはメリディオナル像面における非点収差量を示している。歪曲収差はｄ線について示している。色収差図ではｇ線における色収差を示している。ωは撮像半画角である。
【００１７】
各実施例の光学系において、正レンズＧｐよりも像側に、フォーカシングに際して移動するフォーカス群が配置されている。実施例１乃至３の光学系では、開口絞りＳＰの像側に負の屈折力のフォーカス群が配置されており、無限遠から近距離へのフォーカシングに際してフォーカス群は像側に移動する。実施例１の光学系では、フォーカス群は１枚の負レンズから構成される。実施例２及び３の光学系では、フォーカス群は、負レンズと正レンズが接合された接合レンズから構成される。
【００１８】
実施例４及び５の光学系では、開口絞りＳＰの物体側に正の屈折力のフォーカス群が配置されており、無限遠から近距離へのフォーカシングに際してフォーカス群は物体側に移動する。実施例４及び５の光学系では、フォーカス群は、正レンズと負レンズが接合された接合レンズから構成される。
【００１９】
また、各実施例の光学系では、光学系の一部のレンズを防振群として、防振群を光軸と垂直方向の成分を持つ方向に移動させることにより結像位置を変化させることができる。これにより像ぶれ補正を行うことができる。
【００２０】
続いて、本発明の光学系における色収差の低減方法について説明する。光学系における色収差の補正に関連するパラメータとして、アッベ数νｄ、部分分散比θｇＦが知られている。ｇ線（波長４３５．８ｎｍ）、Ｆ線（４８６．１ｎｍ）、Ｃ線（６５６．３ｎｍ）、ｄ線（５８７．６ｎｍ）に対する材料の屈折率をそれぞれＮｇ、ＮＦ、ＮＣ、Ｎｄとするとき、アッベ数νｄ、部分分散比θｇＦはそれぞれ、
νｄ＝（Ｎｄ−１）／（ＮＦ−ＮＣ）
θｇＦ＝（Ｎｇ−ＮＦ）／（ＮＦ−ＮＣ）
と表される。
【００２１】
次に、レンズに用いられる材料の異常分散性について説明する。
ΔθｇＦ＝θｇＦ−（０．６４３８−０．００１６８２×νｄ）…（Ａ）
としたとき、多くの材料で式（Ａ）の数値はゼロ近傍の値となる。式（Ａ）の数値の絶対値が大きいほど異常分散性の高い材料となる。全体として正の屈折力を有するレンズ群の中に配置された負レンズの材料として、式（Ａ）の数値が小さい材料を用いることで、色収差の２次スペクトル（ｇ線を基準とした色収差）を良好に補正することができる。また、全体として正の屈折力を有するレンズ群の中に配置された正レンズの材料として、式（Ａ）の数値が大きい材料を用いることで、色収差の２次スペクトルを良好に補正することができる。
【００２２】
一般に、全体として正の屈折力を有するレンズ群の中に配置された負レンズの材料として高分散の材料を用いることで、１次の色収差の補正効果を得ることができる。また、全体として正の屈折力を有するレンズ群の中に配置された正レンズにおいては１次の色収差が発生しやすいが、正レンズの材料として低分散の材料を用いることで、１次の色収差の発生量を減らすことができる。全体として正の屈折力を有する光学系において、１次の色収差の発生量と補正量のバランスを適切に設定することで、光学系全体として１次の色収差を低減させることができる。
【００２３】
本発明においては、高分散かつ異常分散性の高い材料から形成された正レンズＧｐを、最も物体側に配置されたレンズから比較的遠い位置に配置し、正レンズＧｐの像側にフォーカス群を配置している。本発明の光学系では、正レンズＧｐを最も物体側に配置されたレンズから比較的遠い位置に配置することで、１次の色収差の発生量と補正量のバランスをとっている。これにより、前群Ｌｆに含まれる正レンズを比較的像側に配置することが可能となり、前群Ｌｆに含まれる正レンズの有効径を小さくすることができる。結果として光学系全体の重量を低減することができる。
【００２４】
また、正レンズＧｐの像側にフォーカス群を配置することで、フォーカシングに際しての球面収差の変動を低減することができる。高分散かつ異常分散性の高い材料は一般的に屈折率が高いため、仮に、高分散かつ異常分散性の高い材料から形成された正レンズＧｐをフォーカス群とすると球面収差が発生しやすい。そのため、正レンズＧｐをフォーカス群とするには、フォーカス群に負レンズを配置することで、フォーカス群において発生する球面収差を低減させる必要が生じる。本発明では、フォーカス群とは別に、高分散かつ異常分散性の高い材料から形成された正レンズＧｐを配置することで、光学系の軽量化と、色収差や球面収差の良好な補正を両立させている。
【００２５】
さらに、各実施例の光学系は、以下の条件式（１）〜（４）を満足している。
ＬＤ／ｆ＜１．００…（１）
１５．０＜νｄＧｐ＜２４．０…（２）
０．０２０＜θｇＦ＿Ｇｐ−０．６４３８＋０．００１６８２×νｄＧｐ＜０．１００…（３）
０．３５＜Ｄｐｉ／ＬＤ＜０．８０…（４）
【００２６】
ここで、正レンズＧｐの材料のアッベ数をνｄＧｐ、部分分散比をθｇＦ＿Ｇｐ、正レンズＧｐの物体側のレンズ面から像面ＩＰまでの光軸上の距離をＤｐｉとする。また、全系の焦点距離をｆ、最も物体側に配置されたレンズの物体側のレンズ面から像面ＩＰまでの光軸上の距離（以下、レンズ全長という）をＬＤとする。
【００２７】
条件式（１）は、レンズ全長ＬＤが光学系全系の焦点距離ｆよりも短いことを示している。一般に、レンズ全長の短縮化を図った望遠レンズに搭載される光学系は、焦点距離がレンズ全長ＬＤよりも長くなる。条件式（１）の上限値を上回ってレンズ全長ＬＤが長くなると、光学系が光軸方向に大型化してしまうため好ましくない。
【００２８】
条件式（２）は、正レンズＧｐの材料のアッベ数νｄＧｐを規定した条件式である。条件式（２）の下限値を下回ると、正レンズＧｐにおいて１次の色収差が過剰に発生するため好ましくない。また、条件式（２）の上限値を上回ると、正レンズＧｐにおいて生じる色収差が不足し、１次の色収差の発生量と補正量のバランスが崩れる。その結果、前群Ｌｆに含まれる正レンズをより物体側に配置する必要が生じ、光学系の高重量化を招くため好ましくない。
【００２９】
条件式（３）は、正レンズＧｐの材料の異常分散性ΔθｇＦ＿Ｇｐを規定した条件式である。異常分散性の高い材料を用いて正レンズＧｐを構成することで、２次スペクトルの補正効果を得ることができる。正レンズＧｐの材料として、条件式（３）の上限値を上回る材料を用いると、２次スペクトルが過剰に補正されてしまうため好ましくない。正レンズＧｐの材料として、条件式（３）の下限値を下回る材料を用いると、２次スペクトルを良好に補正することが困難になり、光学系全体として２次スペクトルを低減させることが困難になるため好ましくない。
【００３０】
条件式（４）は、レンズ全長ＬＤと、正レンズＧｐの物体側のレンズ面から像面までの光軸上の距離Ｄｐｉの比を規定した条件式である。条件式（４）の下限値を下回って、距離Ｄｐｉが短くなると、正レンズＧｐに入射する軸上光線の高さが低くなり、正レンズＧｐにおいて１次の軸上色収差を十分に発生させることが困難になるため好ましくない。条件式（４）の上限値を上回って、距離Ｄｐｉが長くなると、正レンズＧｐに入射する軸上光線の高さが高くなり、正レンズＧｐにおいて１次の軸上色収差が過剰に発生するため好ましくない。
【００３１】
各実施例では以上説明したように、条件式（１）〜（４）を満足するように各要素を適切に設定している。これにより軽量であり、かつ色収差等の諸収差が良好に補正された光学系を得ることができる。
【００３２】
なお、各実施例において、好ましくは、条件式（１）〜（４）の数値範囲を次のように設定するのが良い。
ＬＤ／ｆ＜０．９８…（１ａ）
１８．０＜νｄＧｐ＜２３．５…（２ａ）
０．０２２＜θｇＦ＿Ｇｐ−０．６４３８＋０．００１６８２×νｄＧｐ＜０．０８０…（３ａ）
０．４０＜Ｄｐｉ／ＬＤ＜０．７５…（４ａ）
【００３３】
また、さらに好ましくは、条件式（１）〜（４）の数値範囲を次のように設定するのが良い。
ＬＤ／ｆ＜０．９６…（１ｂ）
２０．０＜νｄＧｐ＜２３．０…（２ｂ）
０．０２５＜θｇＦ＿Ｇｐ−０．６４３８＋０．００１６８２×νｄＧｐ＜０．０６０…（３ｂ）
０．４５＜Ｄｐｉ／ＬＤ＜０．７０…（４ｂ）
【００３４】
さらに、正レンズＧｐは、物体側に凸面を向けたメニスカス形状であることが好ましい。正レンズＧｐの物体側には正の屈折力の前群Ｌｆが配置されているため、正レンズＧｐには収斂光が入射する。正レンズＧｐを物体側に凸面を向けたメニスカス形状とすることで、正レンズＧｐの入射面及び出射面の面法線方向に光線を通過させることができる。その結果、球面収差や色収差の発生を低減することができる。
【００３５】
また、各実施例において、次の条件式のうち１つ以上を満足することがより好ましい。
０．０５＜（Ｒ１２−Ｒ１１）／（Ｒ１２＋Ｒ１１）＜０．９０…（５）
０．３０＜ｆｐ／ｆ＜１．５０…（６）
【００３６】
ここで、正レンズＧｐの物体側のレンズ面の曲率半径をＲ１１、正レンズＧｐの像側のレンズ面の曲率半径をＲ１２、正レンズＧｐの焦点距離をｆｐ、全系の焦点距離をｆとする。
【００３７】
条件式（５）は、正レンズＧｐの形状を規定した条件式である。条件式（５）の下限値を下回ると、正レンズＧｐの物体側のレンズ面と像側のレンズ面の曲率半径の差が小さくなり過ぎて、正レンズＧｐの正の屈折力が弱くなり過ぎる。その結果、正レンズＧｐよりも像側に配置されたレンズの有効径が大きくなり、光学系全体の高重量化を招くため好ましくない。条件式（５）の上限値を上回ると、正レンズＧｐの物体側のレンズ面と像側のレンズ面の曲率半径の差が大きくなり過ぎて、球面収差や軸上色収差が多く発生するため好ましくない。
【００３８】
条件式（６）は、正レンズＧｐの焦点距離ｆｐと全系の焦点距離ｆの比を規定した条件式である。条件式（６）の下限値を下回って、正レンズＧｐの焦点距離ｆｐが短くなると、正レンズＧｐの屈折力が強くなり過ぎる。その結果、正レンズＧｐにおいて球面収差や軸上色収差が多く発生するため好ましくない。また、条件式（６）の上限値を上回って、正レンズＧｐの焦点距離ｆｐが長くなると、正レンズＧｐの屈折力が弱くなり過ぎる。その結果、正レンズＧｐよりも像側に配置されたレンズの有効径が大きくなり、光学系全体の高重量化を招くため好ましくない。
【００３９】
また、前群Ｌｆに含まれる負レンズＧｎの材料のアッベ数をνｄＧｎ、負レンズＧｎと正レンズＧｐとの光軸上の距離をＤｎｐ、負レンズＧｎの焦点距離をｆｎ、全系の焦点距離をｆ、正レンズＧｐの焦点距離をｆｐとしたとき、
２０．０＜νｄＧｎ＜４５．０…（７）
０．０１５＜Ｄｎｐ／ＬＤ＜０．２０…（８）
０．０５＜−ｆｎ／ｆ＜０．３０…（９）
０．１０＜−ｆｎ／ｆｐ＜０．６０…（１０）
なる条件式のうち１つ以上を満足することが好ましい。
【００４０】
条件式（７）は、前群Ｌｆに含まれる負レンズＧｎの材料のアッベ数νｄＧｎを規定した条件式である。条件式（７）の下限値を下回ると、負レンズＧｎにおいて色収差が過剰に補正されてしまうため好ましくない。また、条件式（７）の上限値を上回ると、負レンズＧｎにおいて色収差を十分に補正することが困難になるため好ましくない。
【００４１】
また、負レンズＧｎは両凹形状であり、光学系に含まれる負レンズの中で最も物体側に配置された負レンズであることが好ましい。負レンズＧｎを両凹形状とすることで、負の屈折力を強めることができ、負レンズＧｎにおいて１次の色収差を良好に補正することができる。また、負レンズＧｎを比較的物体側に配置することで、負レンズＧｎにおける色収差の補正効果を高めることができる。
【００４２】
条件式（８）は、負レンズＧｎと正レンズＧｐとの光軸上の距離Ｄｎｐとレンズ全長ＬＤの比を規定した条件式である。条件式（８）の下限値を下回って、距離Ｄｎｐが短くなると、負レンズＧｎに入射する軸上光線の高さが低くなり、負レンズＧｎにおいて色収差を十分に補正することが困難になるため好ましくない。条件式（８）の上限値を上回って、距離Ｄｎｐが長くなると、負レンズＧｎの有効径が増大し、負レンズＧｎの高重量化を招くため好ましくない。
【００４３】
条件式（９）は、負レンズＧｎの焦点距離ｆｎと全系の焦点距離ｆの比を規定した条件式である。条件式（９）の下限値を下回って、負レンズＧｎの焦点距離ｆｎが短くなると、負レンズＧｎの屈折力が強くなり過ぎる。その結果、負レンズＧｎにおいて球面収差や軸上色収差が多く発生するため好ましくない。また、条件式（９）の上限値を上回って、負レンズＧｎの焦点距離ｆｎが長くなると、負レンズＧｎの屈折力が弱くなり過ぎる。その結果、正レンズＧｐで発生する球面収差や色収差を十分にキャンセルさせることが困難になるため、好ましくない。
【００４４】
条件式（１０）は、負レンズＧｎの焦点距離ｆｎと正レンズＧｐの焦点距離ｆｐの比を規定した条件式である。条件式（１０）の下限値を下回って、負レンズＧｐの焦点距離ｆｎが短くなると、負レンズＧｎの屈折力が強くなり過ぎる。その結果、負レンズＧｎにおいて球面収差や軸上色収差が多く発生するため好ましくない。また、条件式（１０）の上限値を上回って、負レンズＧｎの焦点距離ｆｎが長くなると、負レンズＧｎの屈折力が弱くなり過ぎる。その結果、正レンズＧｐで発生する球面収差や色収差を十分にキャンセルさせることが困難になるため、好ましくない。
【００４５】
また、前群Ｌｆに含まれる正レンズの材料のアッベ数をνｄＧｆｐ、部分分散比をθｇＦ＿Ｇｆｐとして、前群Ｌｆに、
７３．０＜νｄＧｆｐ…（１１）
０．０３０＜θｇＦ＿Ｇｆｐ−０．６４３８＋０．００１６８２×νｄＧｆｐ＜０．１００…（１２）
なる条件式を満足する正レンズＧｆｐが含まれることが好ましい。
【００４６】
条件式（１１）は、前群Ｌｆに含まれる正レンズＧｆｐの材料のアッベ数νｄＧｆｐを規定した条件式である。条件式（１１）の下限値を下回ると、正レンズＧｆｐにおいて色収差が多く発生するため好ましくない。
【００４７】
条件式（１２）は、前群Ｌｆに含まれる正レンズＧｆｐの材料の異常分散性ΔθｇＦ＿Ｇｆｐを規定した条件式である。異常分散性の高い材料を用いて正レンズＧｆｐを構成することで、２次スペクトルの補正効果を得ることができる。条件式（１２）の下限値を下回る材料を用いると、２次スペクトルを良好に補正することが困難になり、結果として光学系全体において２次スペクトルを低減させることが困難になるため好ましくない。条件式（１２）の上限値を上回る材料を用いると、２次スペクトルが過剰に補正され、光学系全体において２次スペクトルを低減させることが困難になるため好ましくない。
【００４８】
さらに、正レンズＧｆｐと正レンズＧｐとの光軸上の距離をＤｐｐ、正レンズＧｆｐの焦点距離をｆｆｐ、全系の焦点距離をｆ、正レンズＧｐの焦点距離をｆｐとしたとき、
０．０１＜Ｄｐｐ／ＬＤ＜０．２０…（１３）
０．１５＜ｆｆｐ／ｆ＜０．６０…（１４）
０．２０＜ｆｆｐ／ｆｐ＜１．５０…（１５）
なる条件式のうち１つ以上を満足することが好ましい。
【００４９】
条件式（１３）は、前群Ｌｆに含まれる正レンズＧｆｐと正レンズＧｐとの光軸上の距離Ｄｐｐとレンズ全長ＬＤの比を規定した条件式である。条件式（１３）の下限値を下回って、距離Ｄｐｐが短くなると、正レンズＧｐの有効径が増大し、正レンズＧｐの高重量化を招くため好ましくない。条件式（１３）の上限値を上回って、距離Ｄｐｐが長くなると、正レンズＧｐに入射する軸上光線の高さが低くなり、正レンズＧｆｐにおいて１次の色収差を十分に発生させることが困難になる。結果として光学系全体において１次の色収差を低減させることが困難になるため好ましくない。
【００５０】
条件式（１４）は、正レンズＧｆｐの焦点距離ｆｆｐと全系の焦点距離ｆの比を規定した条件式である。条件式（１４）の下限値を下回って、正レンズＧｆｐの焦点距離ｆｆｐが短くなると、正レンズＧｆｐの屈折力が強くなり過ぎる。その結果、正レンズＧｆｐにおいて球面収差や軸上色収差が多く発生するため好ましくない。また、条件式（１４）の上限値を上回って、正レンズＧｆｐの焦点距離ｆｆｐが長くなると、正レンズＧｆｐの屈折力が弱くなり過ぎる。その結果、１次の色収差を十分に発生させることが困難になり、光学系全体において１次の色収差を低減させることが困難になるため好ましくない。
【００５１】
条件式（１５）は、正レンズＧｆｐの焦点距離ｆｆｐと正レンズＧｐの焦点距離ｆｐの比を規定した条件式である。条件式（１５）の下限値を下回って、正レンズＧｆｐの焦点距離ｆｆｐが短くなると、正レンズＧｆｐの屈折力が強くなり過ぎる。その結果、正レンズＧｆｐにおいて球面収差や軸上色収差が多く発生するため好ましくない。また、条件式（１５）の上限値を上回って、正レンズＧｆｐの焦点距離ｆｆｐが長くなると、正レンズＧｆｐの屈折力が弱くなり過ぎる。その結果、１次の色収差の発生量が減り、光学系全体において１次の色収差を低減させることが困難になるため好ましくない。
【００５２】
なお、好ましくは、条件式（５）〜（１５）の数値範囲を次のように設定するのが良い。
０．０７＜（Ｒ１２−Ｒ１１）／（Ｒ１２＋Ｒ１１）＜０．８５…（５ａ）
０．３５＜ｆｐ／ｆ＜１．３０…（６ａ）
２２．０＜νｄＧｎ＜３６．０…（７ａ）
０．０２０＜Ｄｎｐ／ＬＤ＜０．１６…（８ａ）
０．０８＜−ｆｎ／ｆ＜０．２５…（９ａ）
０．１２＜−ｆｎ／ｆｐ＜０．５５…（１０ａ）
７５．０＜νｄＧｆｐ…（１１ａ）
０．０４０＜θｇＦ＿Ｇｆｐ−０．６４３８＋０．００１６８２×νｄＧｆｐ＜０．０８０…（１２ａ）
０．０２＜Ｄｐｐ／ＬＤ＜０．１７…（１３ａ）
０．２０＜ｆｆｐ／ｆ＜０．５５…（１４ａ）
０．２５＜ｆｆｐ／ｆｐ＜１．３０…（１５ａ）
【００５３】
さらに好ましくは、条件式（５）〜（１５）の数値範囲を次のように設定するのが良い。
０．０８＜（Ｒ１２−Ｒ１１）／（Ｒ１２＋Ｒ１１）＜０．８０…（５ｂ）
０．４０＜ｆｐ／ｆ＜１．１０…（６ｂ）
２４．０＜νｄＧｎ＜２８．０…（７ｂ）
０．０２５＜Ｄｎｐ／ＬＤ＜０．１４…（８ｂ）
０．１０＜−ｆｎ／ｆ＜０．２１…（９ｂ）
０．１３＜−ｆｎ／ｆｐ＜０．５２…（１０ｂ）
８３．０＜νｄＧｆｐ…（１１ｂ）
０．０５０＜θｇＦ＿Ｇｆｐ−０．６４３８＋０．００１６８２×νｄＧｆｐ＜０．０７０…（１２ｂ）
０．０３＜Ｄｐｐ／ＬＤ＜０．１５…（１３ｂ）
０．２５＜ｆｆｐ／ｆ＜０．５０…（１４ｂ）
０．２８＜ｆｆｐ／ｆｐ＜１．２０…（１５ｂ）
【００５４】
次に、本発明の実施例１から５にそれぞれ対応する数値実施例１から５を示す。各数値実施例において、ｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。
【００５５】
各実施例において、バックフォーカス（ＢＦ）は、光学系の最も像側の面から像面までの距離を、空気換算長により表したものである。また、各数値実施例における上述した条件式との対応を表１に示す。表１において、ΔθｇＦ＿Ｇｉは、θｇＦ＿Ｇｉ−（０．６４３８−０．００１６８２×νｄｉ）の数値を示している。
【００５６】
なお、各実施例において前群Ｌｆの物体側に、レンズを保護するための保護ガラスを配置しても良い。屈折力が極めて弱い保護ガラスは、前群Ｌｆに含まれないものとする。
【００５７】
［数値実施例１］
単位 mm
面データ
面番号       r        d      nd         νd       有効径
1        150.642   16.15   1.59270    35.3      135.36
2        730.042  100.00                        134.20
3        107.703   14.79   1.43387    95.1       84.27
4       -328.442    0.27                         82.15
5       -318.403    3.00   1.85478    24.8       81.94
6         87.265    3.08                         76.51
7         88.737   12.63   1.43387    95.1       76.87
8      -1026.629   35.00                         76.22
9         68.568    6.10   1.89286    20.4       62.07
10        127.179    5.00                         60.58
11         68.368    2.30   1.65412    39.7       55.04
12         43.418    1.15                         51.09
13         48.830    7.97   1.43387    95.1       51.07
14        133.424    7.57                         49.03
15(絞り)    ∞       5.89                         44.73
16      -3151.717    1.87   1.91082    35.3       40.00
17         61.271   30.34                         38.04
18         97.234    1.76   1.92286    20.9       33.23
19         63.011    9.17   1.56732    42.8       32.60
20        -96.758    1.07                         33.13
21        110.488    4.14   1.85025    30.1       32.94
22       -106.157    1.44   1.59522    67.7       32.67
23         36.770    5.26                         31.17
24        -77.293    1.47   1.72916    54.7       31.20
25         75.820    4.11                         32.49
26         89.505   10.00   1.64769    33.8       36.21
27       -216.973    0.15                         38.52
28         77.954   12.44   1.73800    32.3       39.99
29        -58.563    2.00   1.80809    22.8       39.98
30          ∞       3.00                         40.13
31          ∞       2.20   1.51633    64.1       42.00
32          ∞      60.70                         42.00
像面        ∞
焦点距離      392.55
Fナンバー      2.90
半画角         3.15
像高          21.64
レンズ全長   372.00
BF            60.70
入射瞳位置      532.27
射出瞳位置     -109.30
前側主点位置     18.38
後側主点位置   -331.85
単レンズデータ
レンズ  始面  焦点距離
1       1    316.96
2       3    188.88
3       5    -79.86
4       7    188.90
5       9    158.84
6      11   -188.77
7      13    172.59
8      16    -65.97
9      18   -198.89
10      19     68.69
11      21     64.24
12      22    -45.71
13      24    -52.28
14      26     99.10
15      28     47.14
16      29    -72.47
【００５８】
［数値実施例２］
単位 mm
面データ
面番号       r        d      nd         νd       有効径
1         99.464   14.87   1.59270    35.3      101.04
2        456.909   64.58                         99.29
3         80.681   11.90   1.43387    95.1       62.00
4       -167.967    0.15                         60.11
5       -166.869    2.30   1.85478    24.8       59.92
6         51.072    0.15                         54.95
7         50.726   11.60   1.43387    95.1       55.04
8       -770.506   10.68                         54.62
9         59.715    3.81   1.89286    20.4       50.66
10         74.063    8.36                         49.33
11         58.185    2.00   1.65412    39.7       45.60
12         45.596    1.04                         43.86
13         51.918    6.42   1.90366    31.3       43.79
14        206.154    3.00                         42.24
15(絞り)    ∞       2.91                         40.40
16       2015.159    1.90   1.91082    35.3       37.51
17         32.641    3.50   1.84666    23.8       34.33
18         43.038   17.66                         33.42
19         64.610    5.62   1.49700    81.5       31.81
20        -78.046    1.00                         31.84
21        469.814    3.84   1.85478    24.8       30.43
22        -64.210    1.50   1.60311    60.6       30.18
23         33.512    7.59                         28.87
24        -47.827    1.50   1.60311    60.6       29.44
25         93.980    2.80                         31.60
26         77.014    6.40   1.59551    39.2       36.97
27        -82.425    0.42                         37.69
28        108.793   10.03   1.85478    24.8       38.99
29        -32.591    2.00   1.89286    20.4       38.97
30       1236.437    0.19                         39.14
31          ∞       2.20   1.51633    64.1       40.00
32          ∞      62.03                         40.00
像面        ∞
焦点距離     292.46
Fナンバー      2.90
半画角         4.23
像高          21.64
レンズ全長   273.98
BF            62.03
入射瞳位置        301.22
射出瞳位置        -71.11
前側主点位置      -48.75
後側主点位置     -230.43
単レンズデータ
レンズ  始面  焦点距離
1       1    211.24
2       3    127.46
3       5    -45.53
4       7    110.16
5       9    306.80
6      11   -343.79
7      13     75.30
8      16    -36.44
9      17    138.24
10      19     72.07
11      21     66.31
12      22    -36.30
13      24    -52.35
14      26     67.87
15      28     30.33
16      29    -35.54
【００５９】
［数値実施例３］
単位 mm
面データ
面番号       r        d      nd         νd       有効径
1        178.783   15.20   1.59270    35.3      135.31
2       1415.744  124.89                        134.26
3        108.327   15.15   1.43387    95.1       78.98
4       -192.136    0.15                         76.97
5       -197.207    3.00   1.85478    24.8       76.67
6         76.176    0.15                         71.84
7         73.738   12.64   1.43387    95.1       72.03
8       13386.147   11.63                        71.67
9         86.704    5.89   1.89286    20.4       68.81
10        159.733   33.10                         67.66
11         69.154    2.30   1.65412    39.7       49.89
12         45.945    1.53                         47.30
13         55.402    8.24   1.66672    48.3       47.22
14       2426.623    3.00                         45.60
15(絞り)    ∞       2.00                         42.92
16        174.740    2.00   1.90366    31.3       40.00
17         37.347    4.13   1.49700    81.5       36.73
18         52.890   15.51                         35.68
19         87.342    4.14   1.84666    23.8       31.49
20        403.419    1.07                         31.05
21         95.943    4.24   1.85478    24.8       32.55
22        -94.709    1.50   1.76385    48.5       32.10
23         38.328    6.23                         30.47
24        -80.394    1.50   1.76385    48.5       30.84
25        109.369    3.26                         32.09
26         72.385   12.53   1.67300    38.1       34.59
27        -32.147    1.70   1.59522    67.7       35.84
28       -300.120    0.15                         37.16
29        144.097    9.42   1.85478    24.8       37.64
30        -34.206    2.00   1.89286    20.4       37.67
31       1892.910    0.16                         37.94
32          ∞       2.20   1.51633    64.1       40.00
33          ∞      61.34                         40.00
像面        ∞
焦点距離     392.56
Fナンバー      2.90
半画角         3.15
像高          21.64
レンズ全長   371.98
BF            61.34
入射瞳位置        626.88
射出瞳位置        -65.09
前側主点位置     -199.43
後側主点位置     -331.22
単レンズデータ
レンズ  始面  焦点距離
1       1    343.67
2       3    162.13
3       5    -63.96
4       7    170.85
5       9    204.61
6      11   -217.83
7      13     84.92
8      16    -52.93
9      17    234.98
10      19    130.88
11      21     56.34
12      22    -35.55
13      24    -60.45
14      26     34.75
15      27    -60.63
16      29     33.15
17      30    -37.61
【００６０】
［数値実施例４］
単位 mm
面データ
面番号       r        d      nd         νd       有効径
1        163.339   13.35   1.59270    35.3      120.06
2        943.811  144.80                        118.94
3        104.653   12.00   1.43387    95.1       61.40
4       -116.617    0.15                         59.82
5       -117.086    2.30   1.85478    24.8       59.62
6         80.844    0.15                         57.15
7         77.117   12.13   1.43387    95.1       57.26
8       -114.243    0.15                         57.03
9         95.689    3.57   1.89286    20.4       54.37
10        129.498    4.81                         53.26
11       -174.822    2.00   1.48749    70.2       53.26
12        146.631   43.95                         51.87
13        107.088   10.02   1.64769    33.8       49.80
14        -72.534    2.20   1.58913    61.1       49.14
15      -4440.551    2.95                         47.39
16(絞り)    ∞       8.01                         40.94
17        702.560    1.90   1.84666    23.8       36.97
18         47.597    7.46   1.61340    44.3       35.58
19       -126.474   19.15                         35.02
20        122.013    3.76   1.84666    23.8       26.80
21        -71.635    1.40   1.76385    48.5       26.39
22         34.538    6.95                         25.37
23        -64.820    1.40   1.76385    48.5       26.15
24         90.115    2.28                         27.35
25        139.671    9.08   1.73800    32.3       29.11
26        -21.978    1.70   1.76385    48.5       30.01
27       -232.122    0.96                         32.79
28         78.499    8.15   1.73800    32.3       34.89
29        -47.550    1.90   1.89286    20.4       35.24
30       -127.714    9.43                         35.96
31          ∞       2.20   1.51633    64.1       40.00
32          ∞      71.62                         40.00
像面        ∞
焦点距離     488.82
Fナンバー      4.10
半画角         2.53
像高          21.64
レンズ全長   411.90
BF            71.62
入射瞳位置        760.74
射出瞳位置        -81.18
前側主点位置     -314.21
後側主点位置     -417.20
単レンズデータ
レンズ  始面  焦点距離
1       1    331.15
2       3    129.25
3       5    -55.65
4       7    108.19
5       9    391.00
6      11   -163.25
7      13     68.26
8      14   -125.19
9      17    -60.38
10      18     57.31
11      20     53.79
12      21    -30.33
13      23    -49.16
14      25     26.36
15      26    -31.89
16      28     41.26
17      29    -85.80
【００６１】
［数値実施例５］
単位 mm
面データ
面番号       r        d      nd         νd       有効径
1        168.552   14.91   1.59270    35.3      133.65
2        853.592  122.18                        132.49
3        148.612   11.95   1.43387    95.1       81.00
4       -254.303    0.15                         79.55
5       -257.480    3.20   1.85478    24.8       79.38
6        141.530    0.15                         76.27
7        127.364   12.78   1.43387    95.1       76.25
8       -174.232    0.15                         75.68
9        577.170    3.41   1.89286    20.4       72.87
10       4707.875    3.60                         72.09
11       -190.967    3.00   1.80400    46.6       72.07
12       1388.400   88.70                         71.03
13        145.654    7.22   1.59551    39.2       58.51
14       -226.906    2.80   1.67790    55.3       57.84
15        984.208    3.28                         56.57
16(絞り)    ∞      63.32                         45.47
17       -414.599    1.20   1.76385    48.5       20.91
18         29.784    4.80   1.54814    45.8       20.45
19       -119.234    2.00                         20.87
20         99.170    3.22   1.78472    25.7       25.23
21        -62.702    1.30   1.76385    48.5       25.08
22         48.094    3.54                         24.53
23        -80.964    1.30   1.76385    48.5       24.69
24        140.808    1.27                         25.34
25         57.182   13.30   1.67300    38.1       24.00
26        -35.514    1.30   1.59522    67.7       25.49
27         74.378   17.60                         26.08
28        112.883    7.02   1.65412    39.7       33.62
29        -43.326    1.70   1.89286    20.4       33.92
30        -99.977   11.95                         34.71
31          ∞       2.20   1.51633    64.1       40.00
32          ∞      71.54                         40.00
像面        ∞
焦点距離     778.70
Fナンバー      5.83
半画角         1.59
像高          21.64
レンズ全長   486.03
BF            71.54
入射瞳位置        834.02
射出瞳位置       -145.46
前側主点位置    -1181.64
後側主点位置     -707.16
単レンズデータ
レンズ  始面  焦点距離
1       1    351.50
2       3    218.15
3       5   -106.45
4       7    171.79
5       9    736.46
6      11   -208.62
7      13    150.05
8      14   -271.75
9      17    -36.34
10      18     43.98
11      20     49.38
12      21    -35.45
13      23    -67.13
14      25     34.55
15      26    -40.21
16      28     48.73
17      29    -86.87
【００６２】
【表１】
0006452646.tif 000002
【００６３】
次に、本発明の光学系を撮像光学系として用いたデジタルスチルカメラ（撮像装置）の実施例について、図１１を用いて説明する。図１１において、１０はカメラ本体、１１は実施例１乃至５で説明したいずれかの光学系によって構成された撮影光学系である。１２はカメラ本体に内蔵され、撮影光学系１１によって形成された被写体像を受光するＣＣＤセンサやＣＭＯＳセンサ等の固体撮像素子（光電変換素子）である。
【００６４】
このように本発明の光学系をデジタルスチルカメラ等の撮像装置に適用することにより、軽量であり、かつ色収差等の諸収差が良好に補正された撮像装置を得ることができる。
【符号の説明】
【００６５】
Ｌｆ  前群
Ｇｐ  正レンズＧｐ
ＳＰ  開口絞り
ＩＰ  像面
【図１】
0006452646.tif 000003
【図２】
0006452646.tif 000004
【図３】
0006452646.tif 000005
【図４】
0006452646.tif 000006
【図５】
0006452646.tif 000007
【図６】
0006452646.tif 000008
【図７】
0006452646.tif 000009
【図８】
0006452646.tif 000010
【図９】
0006452646.tif 000011
【図１０】
0006452646.tif 000012
【図１１】
0006452646.tif 000013